(57)【要約】【課題】ボールタップ弁装置による給水でも、十分に手洗いができるだけの水量を確保できる簡易水洗便器を提供する。【解決手段】給水タンク１内に、屋外に水を排出する屋外排出用オーバーフロー管８を設け、屋外排出用オーバーフロー管８と洗浄弁４との間に設けた仕切板７１により、第一タンク部７２と第二タンク部７３とを配設し、仕切板７１の上部に第一タンク部７２と第二タンク部７３とを連通する開口部７４を設け、開口部７４の下端と屋外排出用オーバーフロー管８とを略同じ高さとし、ボールタップ装置６の浮子６ａを第二タンク部７３に配置し、手洗いボウル部３５の排水口３６及びボールタップ装置６の他の吐水口３２ａより第一タンク部７２に給水された水が開口部７４を通って第二タンク部７３に溢れ出るようにした。【選択図】      図１
2004285793.tif 000002
【特許請求の範囲】
【請求項１】
給水タンクの底部に便器に給水する排出口を設け、給水タンク内に上下に回動することにより排出口を開閉する洗浄弁を配設し、給水タンクの外に洗浄弁を回動して洗浄弁を開閉操作する操作レバーを設け、給水タンク内の水位が所定水位になったとき閉じ、水位が所定水位以下になったとき開いて給水タンク内に給水するボールタップ装置を給水タンクに配設し、給水タンクの上部に手洗いボウル部を設けると共に手洗いボウル部の底部に排水口を設けて給水タンク内に連通させ、手洗いボウル部の上方に吐水蛇口を配設し、ボールタップ装置に少なくとも二つの吐水口を設けて一つの吐水口を連通管にて吐水蛇口に連通させた簡易水洗便器であって、
給水タンク内に、屋外に水を排出する屋外排出用オーバーフロー管を設け、屋外排出用オーバーフロー管と洗浄弁との間に設けた仕切板により、第一タンク部と第二タンク部とを配設し、仕切板の上部に第一タンク部と第二タンク部とを連通する開口部を設け、開口部の下端と屋外排出用オーバーフロー管とを略同じ高さとし、ボールタップ装置の浮子を第二タンク部に配置し、手洗いボウル部の排水口及びボールタップ装置の他の吐水口より第一タンク部に給水された水が開口部を通って第二タンク部に溢れ出るようにしたことを特徴とする簡易水洗便器。
【請求項２】
開口部に流量調整手段を設け、第二タンク部に溢れ出る水量を調整可能にしたことを特徴とする請求項１に記載の簡易水洗便器。
【発明の詳細な説明】
【０００１】
【発明の属する技術分野】
本発明は、給水タンクを有する簡易水洗便器に関する。
【０００２】
【従来の技術】
従来より、給水タンクの上部に手洗いボウル部や吐水蛇口を設けて手洗いできるようにした簡易水洗便器では、ボールタップ弁装置により吐水する水の一部又は全部を吐水蛇口に送り、残りを給水タンク内に直接供給していた。ところが、ボールタップ弁装置から吐水する水だけでは、手洗い水が不足するという問題があった。（例えば、特許文献１参照）
【０００３】
【特許文献１】
特開平１０−６０９７３号公報（第１，２項、図１）
【０００４】
【発明が解決しようとする課題】
本発明は、上記の問題点を解消するためのもので、ボールタップ弁装置による給水でも、十分に手洗いができるだけの水量を確保できる簡易水洗便器を提供するものである。
【０００５】
【課題を解決するための手段】
本発明の請求項１記載の簡易水洗便器は、給水タンクの底部に便器に給水する排出口を設け、給水タンク内に上下に回動することにより排出口を開閉する洗浄弁を配設し、給水タンクの外に洗浄弁を回動して洗浄弁を開閉操作する操作レバーを設け、給水タンク内の水位が所定水位になったとき閉じ水位が所定水位以下になったとき開いて給水タンク内に給水するボールタップ装置を給水タンクに配設し、給水タンクの上部に手洗いボウル部を設けると共に手洗いボウル部の底部に排水口を設けて給水タンク内に連通させ、手洗いボウル部の上方に吐水蛇口を配設し、ボールタップ装置に少なくとも二つの吐水口を設けて一つの吐水口を連通管にて吐水蛇口に連通させた簡易水洗便器であって、給水タンク内に、屋外に水を排出する屋外排出用オーバーフロー管を設け、屋外排出用オーバーフロー管と洗浄弁との間に設けた仕切板により、第一タンク部と第二タンク部とを配設し、仕切板の上部に第一タンク部と第二タンク部とを連通する開口部を設け、開口部の下端と屋外排出用オーバーフロー管とを略同じ高さとし、ボールタップ装置の浮子を第二タンク部に配置し、手洗いボウル部の排水口及びボールタップ装置の他の吐水口より第一タンク部に給水された水が開口部を通って第二タンク部に溢れ出るようにしたことを特徴とする。
【０００６】
このものにあっては、ボールタップ弁装置により吐水された水が第一タンク部にすべて給水されるので、第一タンク部でオーバーフローした水は、一方で屋外排出用オーバーフロー管より屋外に排出されると共に、他方で開口部を通って第二タンク部に供給される。従って、ボールタップ装置の浮子を有する第二タンク部が所定の水位になるまで、これまで以上に時間を要することになるので、その間ボールタップ弁装置により吐水蛇口に水が吐水され、手洗いボウルには十分な手洗いができるだけの水量を確保することができる。
【０００７】
本発明の請求項２に記載の簡易水洗便器は、請求項１に記載の簡易水洗便器において、開口部に流量調整手段を設け、第二タンク部に溢れ出る水量を調整可能にしたことを特徴とする。
【０００８】
このものにあっては、開口部に流量調整手段を設けているので、開口部を通って第二タンク部に供給する水を多くしたり、少なくしたり調整することができる。従って、第二タンク部が所定の水位になるまで、時間を少なくしたり、多くしたり調整することができ、ボールタップ弁装置により吐水蛇口からでる水量を調整することができる。
【０００９】
【発明の実施の形態】
以後、本発明の実施形態を、図を用いて説明する。
【００１０】
図１又は図２は、本発明の実施形態に係る簡易水洗便器の実施例を示す。
【００１１】
ロータンクのような給水タンク１は底壁と周囲の側壁とで上方を開口した容器状に形成されたタンク本体１ａをタンク本体１ａの上面開口を閉塞する蓋部材１ｂとで構成されている。タンク本体１ａ内の内面側には発泡スチロールのような断熱材２１を装着してあり、断熱材２１で結露を防止できるようになっている。
【００１２】
給水タンク１の底壁の略中央には排水筒１３を取り付けることで排水口３を形成している。排水筒１３は底壁１３の取り付け孔１４に挿通しており、排出口３の上には、洗浄弁４を配置してあり、洗浄弁４が排水筒１３に設けた軸１７を中心に上下に回動することで、排出口３を開閉できるようになっている。洗浄弁４は、ゴムのような材料にて内部が中空の略半球状に形成されており、洗浄弁４の下面側に設けた開口部１８に重り１９を着脱自在に装着できるようになっている。
【００１３】
給水タンク１の底壁には排出口３の側方の位置で取り付け孔９を穿孔してあり、取り付け孔９に屋外排出用オーバーフロー管８の下部を挿通してあり、屋外排出用オーバーフロー管８のフランジと屋外排出用オーバーフロー管８に螺合したナット２２とで底壁を挟持するように取り付けてある。
【００１４】
給水タンク１の側壁の外には、操作レバー５を回転自在に装着してあり、操作レバー５と一体の作動部２３を給水タンク１内に突出させてある。玉鎖のような洗浄弁用策条１１の一端は、作動部２３の先端に連結してあり、洗浄弁用策条１１の他端は洗浄弁４の上面の中央に連結してあり、操作レバー５を回動操作することで洗浄弁用策条１１を引っ張って洗浄弁４を開閉できるようになっている。
【００１５】
後述するフラップ弁２６の開閉操作を行うワイヤーのようなフラップ弁用策条２７の一端は、作動部２３の基部に接続してあり、操作レバー５を操作することで、フラップ弁用策条２７は外管２８に摺動自在に挿通してあり、外管２８は給水タンク１の底壁に挿通してある。外管２８は給水タンク１の底壁に挿通するとき底壁に貫通するように設けた取り付け孔２９に挿通筒３０をナット３１にて取り付け、挿通筒３０内には外管２８を挿通してある。
【００１６】
給水タンク１内では、屋外排出用オーバーフロー管８と洗浄弁４との間に、仕切板７１を設け、第一タンク部７２と第二タンク部７３とを配設し、仕切板７１の上部に第一タンク部７２と第二タンク部７３とを連通させる開口部７４を設けている。また、開口部７４の下端と屋外排出用オーバーフロー管８とを略同じ高さにすると共に、ボールタップ弁装置６の浮子６ａを第二タンク部７３に配設する。
【００１７】
給水タンク１の側壁には、ボールタップ弁装置６の入口部６５を外に導出してあり、入口部６５に水道管等を接続できるようになっている。尚、ボールタップ弁装置６は、浮子６ａが第二タンク部７３内の水位にて上下することにより、弁を開閉して給水タンク１内への吐水を制御して第二タンク部７３内の水位が一定になるように制御するものである。
【００１８】
ボールタップ弁装置６には、給水タンク１内で３つの吐水口３２ａ、３２ｂ、３２ｃを設けてある。吐水口３２ａには盲板３３を着脱自在に装着してあり、吐水口３２ｂにはキャップ３４を着脱自在に装着してある。給水タンク１の蓋部材１ｂには手洗いボウル部３５を設けてあり、手洗いボウル部３５の底部の第一タンク部７２側に設けた排水口３６を第一タンク部７２に連通させてある。この手洗いボウル部３５には吐水蛇口３７を設けてあり、ボールタップ弁装置６の吐水口３２ｃと吐水蛇口３７とを連通管３８にて連通させてある。
【００１９】
便器には、便器ボウル３９が設けられており、便器ボウル３９の底部の中央には汚物排出口４０が設けられている。便器ボウル３９の上端には周方向の全周に亘るようにリム部４１が設けられている。リム部４１の下方の位置で便器ボウル３９の上部の内周に全周に亘って通水段部４２を設けてある。また、便器ボウル３９の後部でリブ部４１内には給水部４３を設けてあり、便器２の後部の内部に設けた便器通水路４６と給水部４３とが連通している。尚、給水部４３の下部には、通水段部４２を臨むように下開口部４８を設けている。
【００２０】
便器２の後部の上面には、給水タンク１を載設してあり、給水タンク１の底部の排出口３に対応するように便器２の上面には便器通水路４６と連通開口５０を設けてある。また、便器２の後部にノズル５２を装着し、ノズル５２は便器通水路４６に挿通しており、ノズル５２の基部が連通開口５０を介して排出口３に連通している。また、ノズル５２の先端部は給水部４３にも連通している。
【００２１】
便器ボウル２の汚物排出口４０の下方には、フラップ弁２６を有する弁ユニット５４が装着してある。弁ユニット５４のフラップ弁２６にはフラップ弁用策条２７の端部が接続されており、操作レバー５を回転させることにより、フラップ弁の軸を中心に回転し、操作レバー５の操作で汚物排出口４０が閉じたり開いたりすることができる。尚、本例では洗浄弁４には重り１９を装着している。また、吐水口３２は、吐水口３２ａ、３２ｂを閉じて、３２ｃのみ吐水蛇口３７に連通している。
【００２２】
このようにして、洗浄時には操作レバー５を回転させることにより、洗浄弁用策条１１を介して洗浄弁４が開き、給水タンク１の洗浄水が排出口３を介して、ノズル５２に送り込まれ、給水部４３の下開口部４８から洗浄水として便器ボウル３９に吐出される。このとき、ノズル５２から下開口部４８を介して通水段部４２に洗浄水が吐出され、洗浄水が通水段部４２に沿って流れて全周の通水段部４２から便器ボウル３９の内面に沿って線浄水が流下して、便器ボウル３９内が洗浄される。また、操作レバー５を回転させることにより、フラップ弁用策条２７を介してフラップ弁２６も開き、汚物排出口４０から便器ボウル３９内の汚物及び洗浄水等が便器２外に排出される。
【００２３】
ここで、排出口３から洗浄水が排出されると、ボールタップ弁装置６が開いて第二タンク部７３の水位が一定になるまで給水タンク１内に給水されるが、全ての水が吐水口３２ｃから吐水蛇口３６を介して第一タンク部７２に供給される。また、第一タンク部７２に所定の水が供給されたとき、洗浄水をオーバーフローさせて屋外排出用オーバーフロー管８から排水ホース５１を介して便器２を通ることなく排水されると共に、仕切板７１の開口部７４を通って第二タンク部７３に供給される。従って、ボールタップ装置６の浮子６ａを有する第二タンク部７３が所定の水位になるまで、これまで以上に時間を要することになるので、その間ボールタップ弁装置６により吐水蛇口３６に水が吐水され、手洗いボウル３５には十分な手洗いができるだけの水量を確保することができる。
【００２４】
次に、図３は本発明の実施形態に係る簡易水洗便器の第二の実施例を示すものである。第一の実施例と同じものには、同符号を付して省略する。本実施例において、第一の実施例と異なる点は、仕切板７１の開口部７４近傍の端部の上にカバー７５を載せ、カバー７５の開口部７４への突出量を調整することで、第二タンク部７３に溢れ出る水量を調整できる流量調整手段を設けたことである。尚、流量調整手段としては、この他に、開口部近傍に設けた水平レールをスライドする平板により開口部の開口量を加減し、第二タンク部７３に溢れ出る水量を調整するものでも良い。
【００２５】
したがって、開口部７４に流量調整手段を設けているので、開口部７４を通って第二タンク部７３に供給する水を多くしたり、少なくしたり調整することができる。従って、第二タンク部７３が所定の水位になるまで、時間を少なくしたり、多くしたり調整することができ、ボールタップ弁装置６により吐水蛇口３６からでる水量を調整することができる。
【００２６】
尚、排水筒１３から上方に一体的に便槽排出用オーバーフロー管７を突設し、便槽排出用オーバーフロー管７を排出口３に連通させて使用することができる。
【００２７】
【発明の効果】
以上の説明により、本発明の請求項１記載の簡易水洗便器によると、ボールタップ弁装置により吐水された水が第一タンク部にすべて給水されるので、第一タンク部でオーバーフローした水は、一方で屋外排出用オーバーフロー管より屋外に排出されると共に、他方で開口部を通って第二タンク部に供給される。従って、ボールタップ装置の浮子を有する第二タンク部が所定の水位になるまで、これまで以上に時間を要することになるので、その間ボールタップ弁装置により吐水蛇口に水が吐水され、手洗いボウルには十分な手洗いができるだけの水量を確保することができる。
【００２８】
本発明の請求項２に記載の簡易水洗便器によると、開口部に流量調整手段を設けているので、開口部を通って第二タンク部に供給する水を多くしたり、少なくしたり調整することができる。従って、第二タンク部が所定の水位になるまで、時間を少なくしたり、多くしたり調整することができ、ボールタップ弁装置により吐水蛇口からでる水量を調整することができる。
【図面の簡単な説明】
【図１】本発明の実施形態係る簡易水洗便器の第一実施例を示す斜視図である。
【図２】同上の簡易水洗便器の第一実施例を示す給水タンクであって、（ａ）は蓋部材の平面図、（ｂ）はタンク本体の縦断面図である。
【図３】同上の簡易水洗便器の第二実施例を示す仕切板の縦断面図である。
【符号の説明】
１      給水タンク
２      便器
３      排出口
４      洗浄弁
５      操作レバー
６      ボールタップ装置
６ａ    浮子
８      屋外排出用オーバーフロー管
３２    吐水口
３２ａ  吐水口
３２ｃ  吐水口
３５    手洗いボウル
３６    排水口
３７    吐水蛇口
３８    連通管
７１    仕切板
７２    第一タンク部
７３    第二タンク部
７４    開口部
【図１】
2004285793.tif 000003
【図２】
2004285793.tif 000004
【図３】
2004285793.tif 000005